(57)【要約】【課題】  放出する状況に応じて液体の放出形状を切り替えることにより、効果的・効率的に消火又は延焼防止することができる消火又は延焼防止装置を提供する。【解決手段】延焼防止設備１は、延焼防止薬剤７を放出するノズル２とノズル２の下部にデフレクタ装置４を有する突出部３と薬剤タンクからホース６によって送られてきた延焼防止薬剤７をノズル２に供給する放出弁５とサイホン管、窒素ボンベ、起動用バルブ、圧力調整器、仕切弁、点検用のガス抜き弁及び格納箱から構成される。突出部３の先端に取付けられたデフレクタ装置４の上下に移動自在に取付けられたデフレクタ４１の先端４１ａが、ノズル２の放出口２１から放出された延焼防止薬剤７の放出形状の断面の中心に位置することで、延焼防止薬剤７の放出形状の断面の中心から下半分が拡散された形状で放出される。【選択図】図５
2019170628.tif 000002
【特許請求の範囲】
【請求項１】
棒状に液体を放出するノズルと、
前記ノズルに設けたデフレクタと
を備え、
前記デフレクタは前記液体の一部にのみ接触することを特徴とする消火又は延焼防止装置。
【請求項２】
前記デフレクタの端部は、前記液体の放出形状の断面の中心に位置することを特徴とする請求項１に記載の消火又は延焼防止装置。
【請求項３】
前記デフレクタは、前記液体と接触しない位置に移動できることを特徴とする請求項１又は２に記載の消火又は延焼防止装置。
【請求項４】
前記ノズルの下部に突出部を備え、
前記突出部に前記デフレクタを移動自在に設けたことを特徴とする請求項１乃至３のいずれかに記載の消火又は延焼防止装置。
【請求項５】
前記デフレクタは、放出弁の開閉動作に連動して移動することを特徴とする請求項１乃至４のいずれかに記載の消火又は延焼防止装置。
【発明の詳細な説明】
【技術分野】
【０００１】
本発明は、火災が発生した際に火災部周辺に消火又は延焼防止のために液体の薬剤を散布したり、火災部に散布したりして消火又は延焼を防止する、消火又は延焼防止装置に関するものである。
【背景技術】
【０００２】
消火用又は延焼防止用の液体を使用した消火又は延焼防止装置では、所定の放出距離・放出高さ、例えば放出距離１０ｍ及び放出高さ１０ｍに位置する高所の火災部に消火または延焼防止薬剤を放出する場合に、液体を棒状にして強い勢いで放出している。
【先行技術文献】
【特許文献】
【０００３】
【特許文献１】特開２０１１−１６７３５７号公報
【特許文献２】特開２０１７−１５８９７１号公報
【発明の概要】
【発明が解決しようとする課題】
【０００４】
しかし、近距離の初期消火を行う場合に、消火薬剤や延焼防止薬剤を棒状に放出すると、放出の勢いで火災部の可燃物等を吹き飛ばしてしまったり、広い範囲の消火又は延焼防止が難しかったりという問題があった。また、近年、高粘度の消火薬剤が検討されている（特許文献１）。この消火薬剤は、水と同等程度の消火作用を有し、発火前の可燃物表面に付着することにより熱の伝導や酸素を遮断して延焼を防止する延焼防止薬剤としても機能する。火災部の可燃物が茅葺屋根の場合、発火後の可燃物表面をこの消化薬剤で覆うことで外部からの空気の流入を抑制し、燃え広がりを抑制する効果を有する。この高粘度の液体を壁面等に付着させて消火又は延焼防止を行う場合にも、棒状に放出すると、壁面等に衝突した勢いで周囲に液体が飛散し、高粘度の液体を均一に塗り付けることができず、上記の高粘度液体の効果を活かすことができないという問題があった（特許文献２）。
【０００５】
そこで、本発明は、放出する状況に応じて液体の放出形状を切り替えることにより、効果的・効率的に消火又は延焼防止することができる消火又は延焼防止装置を提供することを課題とするものである。
【課題を解決するための手段】
【０００６】
本発明は、上記課題を解決するものであり、以下の構成を有する。
【０００７】
（１）本発明は、棒状に液体を放出するノズルと、前記ノズルに設けたデフレクタとを備え、前記デフレクタは前記液体の一部にのみ接触することを特徴とする消火又は延焼防止装置である。
【０００８】
（２）また、本発明は、前記デフレクタの端部は、前記液体の放出形状の断面の中心に位置することを特徴とする（１）に記載の消火又は延焼防止装置である。
【０００９】
（３）また、本発明は、前記デフレクタは、前記液体と接触しない位置に移動できることを特徴とする（１）又は（２）に記載の消火又は延焼防止装置である。
【００１０】
（４）また、本発明は、前記ノズルの下部に突出部を備え、前記突出部に前記デフレクタを移動自在に設けたことを特徴とする（１）乃至（３）のいずれかに記載の消火又は延焼防止装置である。
【００１１】
（５）また、本発明は、前記デフレクタは、放出弁の開閉動作に連動して移動することを特徴とする（１）乃至（４）のいずれかに記載の消火又は延焼防止装置である。
【発明の効果】
【００１２】
本発明によれば、消火剤や延焼防止薬剤の液体の放出形状を、デフレクタを用いて適宜棒状又は棒状と拡散状に切り替えることにより、効果的・効率的に消火又は延焼防止を行うことができる。高粘度の液体を消火又は延焼防止に使用する場合には、広い範囲に消火剤等を付着させたい場合は、放出形状をデフレクタにより拡散形状とすることで、高粘度の液体を周囲に飛散させずに均一に塗り付けることができる。火災部が高所の場合は、主に放出形状を棒状にする。このように放出形状を切り替えることにより高粘度の液体の消火又は延焼防止効果を向上させることができる。
【図面の簡単な説明】
【００１３】
【図１】本発明の実施例１における延焼防止設備１の平面図である。
【図２】本発明の実施例１における延焼防止設備１の側面図である。
【図３】本発明の実施例１におけるデフレクタ装置４の縦断面図である。
【図４】本発明の実施例１において、延焼防止設備１が延焼防止薬剤７を棒状に放出する状態を示す図である。
【図５】本発明の実施例１において、延焼防止設備１のデフレクタ装置４を使用した場合に延焼防止薬剤７が放出する状態を示す図である。
【図６】本発明の実施例２において、延焼防止設備１０１が延焼防止薬剤７を棒状に放出する状態を示す平面図である。
【図７】本発明の実施例２において、延焼防止設備１０１のデフレクタ装置４０１を使用した場合に延焼防止薬剤７が放出する状態を示す平面図である。
【図８】本発明の実施例２における図７の側面図である。
【発明を実施するための形態】
【００１４】
本発明は消火又は延焼防止装置である。以下、パッケージ型の延焼防止設備１を本発明の実施形態として説明する。パッケージ型の延焼防止設備１は、延焼防止薬剤の薬剤タンクやホース等をパッケージとして備え、比較的小型であり、文化財の設置場所近辺等に容易に設置することができる。
【実施例１】
【００１５】
本発明の実施例１における延焼防止設備１の概要について説明する。
図１は、本発明の実施例１における延焼防止設備１の平面図であり、図２は、本発明の実施例１における延焼防止設備１の側面図である。延焼防止設備１は、延焼防止薬剤７を放出するノズル２と、突出部３と、突出部３に取り付けられたデフレクタ装置４と、放出弁５と、ホース６と、格納箱及び格納箱に収納された機器（図示せず）から構成されている。なお、格納箱に収納された機器である薬剤タンク、サイホン管、窒素ボンベ、起動用バルブ、圧力調整器、仕切弁、点検用のガス抜き弁及び格納箱の構成については図示していないが、特許文献２の図１に示すパッケージ型延焼防止設備と同様の構成である。薬剤タンクに貯蔵されている延焼防止薬剤７は、水にコロイドケイ酸塩をプレミックスした、チキソトロピー性を有した高粘度状の液体である。また、デフレクタ装置４は、放出口２１の前方から離れたノズル２の下部に設けた突出部３の先端に取付けられている。
【００１６】
次にデフレクタ装置４の構成について説明する。
図３は、本発明の実施例１におけるデフレクタ装置４の縦断面図である。図３（ａ）では、デフレクタ４１が放出口２１から放出される延焼防止薬剤７に接触しない位置に下降している。また、図３（ｂ）では、デフレクタ４１の先端４１ａがノズル２の放出口２１から放出される延焼防止薬剤７の放出形状における断面の中心に位置している。デフレクタ装置４は、突出部３に設けられた挿通孔３１の上側に上部筐体４２を、下側に下部筐体４３及び玉締り部４４を取付けた構成の中に、デフレクタ４１を有している。また、デフレクタ４１は、下端に把持部４１ｆを設け、先端４１ａと下部４１ｂと、先端４１ａと下部４１ｂより幅広の中央部４１ｃから構成される略直方体である。中央部４１ｃは、斜面４１ｄを上端に、２つの半球面状の凹部４１ｅを下部側面に有している。そして、デフレクタ４１は、挿通孔３１と、上部筐体４２と下部筐体４３及び玉締り部４４の内部を貫通して上下に移動自在に設けられている。更に先端４１ａと下部４１ｂは、それぞれ上部筐体４２の中心に設けられた挿通孔４２ａと下部筐体４３の中心に設けられた挿通孔４３ａから突出するように設けられている。また、凹部４１ｅは、図３（ｂ）に示すようにデフレクタ４１の先端がノズル２の放出口２１から放出される延焼防止薬剤７の放出形状における断面の中心に位置しているときに、玉締り部４４の内面の２箇所に設けたボール４４ａと係合する位置に設けてある。
【００１７】
次に、デフレクタ装置４の動作を説明する。
デフレクタ４１を図３（ａ）から図３（ｂ）に示すように上昇させる場合は、把持部４１ｆを下から押して上昇させる。そうすると、斜面４１ｄがスプリング４４ｂにより玉締り部４４の内面に突出していたボール４４ａを外側に押し込む。そして、デフレクタ４１が図３（ｂ）に示した位置まで上昇すると中央部４１ｃの側面により押し込まれていたボール４４ａがスプリング４４ｂに押され、玉締り部４４の内面に突出し、凹部４１ｅと係合する。このように、デフレクタ４１は、ボール４４ａによって固定されるため、デフレクタ４１の自重等で自然に降下することはない。
【００１８】
また、デフレクタ４１を図３（ｂ）から図３（ａ）に示すように下降させる場合は、把持部４１ｆを持ってデフレクタ４１を引き下げる。そうすると、凹部４１ｅの半球面が、スプリング４４ｂにより内面に突出していたボール４４ａを外側に押し込み、図３（ａ）に示す位置までデフレクタ４１が移動する。なお、上部筐体４２の挿通孔４２ａと下部筐体４３の挿通孔４３ａの形状は、それぞれ先端４１ａと下部４１ｂの横断面形状と同形である。このため、中央部４１ｃの斜面４１ｄと下端部４１ｇが、それぞれ上部筐体４２の内部上面４２ｂと下部筐体４３の内部底面４３ｂと係合する。従って、デフレクタ４１が、図３（ａ）及び（ｂ）に示す所定の位置より下に脱落したり、上に飛び出したりすることはない。
【００１９】
次に延焼防止設備の使用方法について説明する。
火災が発生した際には、延焼防止設備１の使用者は起動用バルブを開いて窒素ボンベの圧力を薬剤タンクに供給する。延焼防止薬剤７は、窒素ボンベと圧力調整器による加圧により薬剤タンク内の延焼防止薬剤７が押し出され、薬剤タンクからサイホン管を経てホース６に流出する。使用者は、ノズル２を格納箱から取り出して対象物の方向に向けて放出弁５の弁操作ハンドル５１を９０度回転させて放出弁５を開ける。そして、放出弁５を経てノズル２の放出口２１から延焼防止薬剤が放出される。
【００２０】
図４は、本発明の延焼防止設備１が延焼防止薬剤７を棒状に放出する状態を示す図である。図４に示すように、図３（ａ）に示す状態でデフレクタ装置４を使用しないときは、ノズル２の放出口２１から放出された延焼防止薬剤７は棒状となって強い勢いで放出され、高所の火災部の消火又は延焼防止を行うのに効率的・効果的である。
【００２１】
図５は、本発明の延焼防止設備１のデフレクタ装置４を使用した場合に延焼防止薬剤７が放出する状態を示す図である。図５に示すように、図３（ｂ）に示す状態にデフレクタ４１を上昇させた場合は、デフレクタ４１の先端４１ａが放出口２１から放出された延焼防止薬剤７の放出形状における断面の中心に位置する。そのため、デフレクタ４１の先端４１ａが延焼防止薬剤７に接触し、延焼防止薬剤７の放出形状における断面の中心から下半分が拡散された形状で放出される。火災部が文化財の建物の屋根である場合は、延焼防止薬剤７の上部における棒状の強い勢いの放出で屋根の火災部を消火及び延焼防止すると同時に、下部における拡散形状の弱い勢いの放出で、延焼防止薬剤７を屋根に付着させて均一に塗り付けることで効率的・効果的に消火又は延焼防止をすることができる。
【００２２】
また、近距離や壁面等の火災部に対しては、放出弁５の弁操作ハンドル５１を４５度回転させて放出弁５を半開することで、放出口２１から放出される延焼防止薬剤７をややまだらに拡散した広めの棒状にして弱い勢いで放出する。放出口２１から放出される延焼防止薬剤７を弱い勢いで放出することで、延焼防止薬剤７が飛散せずに壁面等に付着し、効率的・効果的に消火又は延焼防止をすることができる。更にデフレクタ４１をややまだらに拡散した広めの棒状である延焼防止薬剤７に接触させてより広い拡散形状とすることで広い範囲に延焼防止薬剤７を放出することができる。また、延焼防止設備１の使用者はノズル２を左右に振ることによって、延焼防止薬剤７を壁面に付着していない場所がないように、隙間なく付着させることができる。
【００２３】
なお、デフレクタの構成については上記の実施例１に限定されず、例えば、突出部３の先端近傍にネジ穴を設け、ネジ穴にデフレクタとして長尺のボルトを螺合したものを用いることもできる。その場合、ボルトを回転させることで上下に移動自在なデフレクタとすることができる。また、実施例１では突出部３をノズル２の下部に設けたが、突出部３をノズル２の上部や左右のいずれに設けてもよく、デフレクタ４１により棒状に放出した延焼防止薬剤７を拡散させる部分はどの方向からでもよく、上記の実施例１に限定されない。
【実施例２】
【００２４】
図６は、本発明の実施例２において、延焼防止設備１０１が延焼防止薬剤７を棒状に放出する状態を示す平面図である。また、図７は本発明の実施例２において、延焼防止設備１０１のデフレクタ装置４０１を使用した場合に延焼防止薬剤７が放出する状態を示す平面図である。図８は図７の側面図である。なお、実施例１と共通の部品については同じ符号で示し、説明を省略する。
【００２５】
延焼防止設備１０１の構成は、上記の実施例１と同様であり、放出弁及びデフレクタ装置の構成が相違する。延焼防止設備１０１のデフレクタ装置４０１は、放出弁５の弁回転軸に接続されており、放出弁５の開閉動作に連動して移動する。デフレクタ装置４０１は、回転軸４０１ａと、回転軸４０１ａの下端部に回転軸４０１ａに対して垂直に設けたＬ字状のアーム４０１ｂと、アーム４０１ｂの先端に垂直に設けられた棒状のデフレクタ４０１ｃから構成されている。回転軸４０１ａは、放出弁５の弁回転軸の延長部に接続されている。そして、放出弁５の弁操作ハンドル５１の開閉動作に連動して、デフレクタ装置４０１は、回転軸４０１ａを中心として回転する。デフレクタ装置４０１が回転して、デフレクタ４０１ｃがノズル２の放出口２１の前方に移動すると、デフレクタ４０１ｃの先端は、放出口２１から放出された延焼防止薬剤７の放出形状における断面の中心に位置する。
【００２６】
次に、実施例２の延焼防止設備１０１の使用方法について説明する。
火災が発生した場合、使用者が、ノズル２を格納箱から取り出して延焼を避けたい文化財等、対象物の方向に向けて放出弁５の弁操作ハンドル５１を９０度回転させて放出弁５を開ける。放出弁５を経てノズル２の放出口２１から延焼防止薬剤７が放出するまでは上記の実施例１と同様である。放出前においては、デフレクタ装置４０１は図６の位置から反時計回りに９０度回転した状態であり、回転軸４０１ａからホース６の方向に延びてから屈曲している。このとき、デフレクタ装置４０１は殆どがホース６の下部に収容され、デフレクタ４０１ｃはホース６の側部に配置されるため、ホース６を延長する時などに邪魔にならない。高所や遠方の火災部の消火又は延焼防止を行う場合は、図６に示すように弁操作ハンドル５１を９０度回転して放出弁５を全開し、放出口２１から棒状の延焼防止薬剤７を勢いよく放出させる。また、近距離や壁面等の消火又は延焼防止を行う場合は、図７と図８に示すように、更に弁操作ハンドル５１を４５度回転して、放出弁５を半開すると、放出口２１から放出される延焼防止薬剤７は、ややまだらに拡散した広めの棒状になり弱い勢いで放出する。そして、ややまだらに拡散した広めの棒状に放出された延焼防止薬剤７の下半分は、弁操作ハンドル５１に連動して放出口２１の前方に移動したデフレクタ４０１ｃに接触し、更に細かい粒になった拡散した形状となって放出される。このようにデフレクタ４０１ｃをややまだらに拡散した広めの棒状の延焼防止薬剤７に接触させてより広い拡散形状とすることで広い範囲に延焼防止薬剤７を放出することができる。また、延焼防止薬剤７を拡散した形状とすることで勢いを弱め、火災部に向けた放出した延焼防止薬剤７を飛散させずに、壁面等に付着させて均一に塗り付けることができ、効率的・効果的に消火又は延焼防止をすることができる。また、延焼防止設備１０１の使用者はノズル２を左右に振ることによって、延焼防止薬剤７を壁面に付着していない場所がないように、隙間無く付着させることができる。
【００２７】
なお、実施例２では、弁操作ハンドル５１と連動して移動するデフレクタ装置４０１を放出弁５の下に設けたが、放出弁の上部に設け、弁操作ハンドル５１と同じ回転軸に取り付けてもよい。この場合、放出弁５を半開してデフレクタ４０１ｃを放出された液体の上半分に接触させることで、ややまだらに拡散した広めの棒状に放出された延焼防止薬剤７の上半分を、更に細かい粒になった拡散した形状に放出することができる。また、デフレクタ装置４０１を左右のいずれかに設ける構成であってもよい。例えば、実施例２の放出弁５を９０度左右何れかに回転させた構成としてもよい。この場合、図６を側面図、図８を底面図とする構成となる。このように、デフレクタ装置４０１を設ける位置については、上記の実施例２に限定されない。そして、上記の実施例１，２では、パッケージ型延焼防止設備を文化財の火災の際に用いるとして説明したが、パッケージ型延焼防止設備を住宅密集地に備えることもできる。なお、本発明はパッケージ型の設備形態だけでなく、他の設備形態にも適用することができ、ノズル２から放出する液体は消火や延焼防止効果がある液体であれば、高粘度状の液体に限定されることはない。また、ノズルから放出する液体にデフレクタが接触する部分は液体の一部のみでもよく、液体を拡散させる程度によってデフレクタを接触させる長さや面積を調整するようにしてもよい。
【符号の説明】
【００２８】
１，１０１  延焼防止設備、２  ノズル、２１  放出口、３  突出部、３１，４２ａ，４３ａ  挿通孔、４，４０１  デフレクタ装置、４１，４０１ｃ  デフレクタ、４１ａ  先端、４１ｂ  下部、４１ｃ  中央部、４１ｄ  斜面、４１ｅ  凹部、４１ｆ  把持部、４１ｇ  下端部、４２  上部筐体、４２ｂ  内部上面、４３  下部筐体、４３ｂ  内部底面、４４  玉締り部、４４ａ  ボール、４４ｂ  スプリング、４０１ａ  回転軸、４０１ｂ  アーム、５  放出弁、５１  弁操作ハンドル、６  ホース、７  延焼防止薬剤
【図１】
2019170628.tif 000003
【図２】
2019170628.tif 000004
【図３】
2019170628.tif 000005
【図４】
2019170628.tif 000006
【図５】
2019170628.tif 000007
【図６】
2019170628.tif 000008
【図７】
2019170628.tif 000009
【図８】
2019170628.tif 000010